(57)【特許請求の範囲】
【請求項１】
医療機器情報が格納されている記憶部にアクセスして、当該医療機器情報を取得して表示する医療機器情報提供システムであって、
端末が撮像した撮像画像に映りこんだ医療機器のＩＤを、画像解析によって特定する医療機器特定手段と、
複数の医療機器が撮像画像内に映り込み、一の医療機器のＩＤを特定できなかった場合、当該一の医療機器を特定するための対処方法として、当該一の医療機器に対する撮像方向の指示を取得する対処方法取得手段と、
取得した前記対処方法を、表示部に表示する対処方法表示手段と、
一の医療機器のＩＤを特定できた場合、当該特定した医療機器のＩＤに紐付けされた医療機器情報を、前記記憶部から取得する医療機器情報取得手段と、
前記取得した医療機器情報を、表示部に表示する医療機器情報表示手段と、
を備えることを特徴とする医療機器情報提供システム。
【請求項２】
医療機器情報が格納されている記憶部にアクセスして、当該医療機器情報を取得して表示する医療機器情報提供システムであって、
端末が読み取った２次元コードに紐付けされた医療機器のＩＤを、特定する医療機器特定手段と、
複数の２次元コードを読み取り、一の医療機器のＩＤを特定できなかった場合、当該一の医療機器を特定するための対処方法として、当該２次元コードの読取方向の指示を取得する対処方法取得手段と、
取得した前記対処方法を、表示部に表示する対処方法表示手段と、
一の医療機器のＩＤを特定できた場合、当該特定した医療機器のＩＤに紐付けされた医療機器情報を、前記記憶部から取得する医療機器情報取得手段と、
前記取得した医療機器情報を、表示部に表示する医療機器情報表示手段と、
を備えることを特徴とする医療機器情報提供システム。
【請求項３】
前記医療機器情報表示手段は、前記取得した医療機器情報の変化を、グラフ化して表示する、
ことを特徴とする請求項１又は２に記載の医療機器情報提供システム。
【請求項４】
前記医療機器情報表示手段は、前記端末が撮像画像を撮像した場所の位置情報と関連付けて、前記取得した医療機器情報を表示する、
ことを特徴とする請求項１に記載の医療機器情報提供システム。
【請求項５】
前記医療機器情報表示手段は、前記端末が２次元コードを読み取った場所の位置情報と関連付けて、前記取得した医療機器情報を表示する、
ことを特徴とする請求項２に記載の医療機器情報提供システム。
【請求項６】
前記記憶部にアクセスする時に、前記撮像画像を、特定した医療機器の証拠として利用する証拠利用手段と、
を備えることを特徴とする請求項１に記載の医療機器情報提供システム。
【請求項７】
前記記憶部にアクセスする時に、前記２次元コードを、特定した医療機器の証拠として利用する証拠利用手段と、
を備えることを特徴とする請求項２に記載の医療機器情報提供システム。
【請求項８】
前記取得した医療機器情報に含まれる電話番号に電話を掛ける電話手段と、
を備えることを特徴とする請求項１又は２に記載の医療機器情報提供システム。
【請求項９】
医療機器情報が格納されている記憶部にアクセスして、当該医療機器情報を取得して表示する医療機器情報提供システムが実行する医療機器情報提供方法であって、
端末が撮像した撮像画像に映りこんだ医療機器のＩＤを、画像解析によって特定するステップと、
複数の医療機器が撮像画像内に映り込み、一の医療機器のＩＤを特定できなかった場合、当該一の医療機器を特定するための対処方法として、当該一の医療機器に対する撮像方向の指示を取得するステップと、
取得した前記対処方法を、表示部に表示するステップと、
一の医療機器のＩＤを特定できた場合、当該医療機器のＩＤに紐付けされた医療機器情報を、前記記憶部から取得するステップと、
前記取得した医療機器情報を、表示部に表示するステップと、
を備えることを特徴とする医療機器情報提供方法。
【請求項１０】
医療機器情報が格納されている記憶部にアクセスして、当該医療機器情報を取得して表示する医療機器情報提供システムが実行する医療機器情報提供方法であって、
端末が読み取った２次元コードに紐付けされた医療機器のＩＤを、特定するステップと、
複数の２次元コードを読み取り、一の医療機器のＩＤを特定できなかった場合、当該一の医療機器を特定するための対処方法として、前記２次元コードの読取方向の指示を取得するステップと、
取得した前記対処方法を、表示部に表示するステップと、
一の医療機器のＩＤを特定できた場合、当該特定した医療機器のＩＤに紐付けされた医療機器情報を、前記記憶部から取得するステップと、
前記取得した医療機器情報を、表示部に表示するステップと、
を備えることを特徴とする医療機器情報提供方法。
【請求項１１】
医療機器情報が格納されている記憶部にアクセスして、当該医療機器情報を取得して表示する医療機器情報提供システムに、
端末が撮像した撮像画像に映りこんだ医療機器のＩＤを、画像解析によって特定するステップ、
複数の医療機器が撮像画像内に映り込み、一の医療機器のＩＤを特定できなかった場合、当該一の医療機器を特定するための対処方法として、当該一の医療機器に対する撮像方向の指示を取得するステップ、
取得した前記対処方法を、表示部に表示するステップ、
一の医療機器のＩＤを特定できた場合、当該特定した医療機器のＩＤに紐付けされた医療機器情報を、前記記憶部から取得するステップ、
前記取得した医療機器情報を、表示部に表示するステップ、
を実行させるためのコンピュータ読み取り可能なプログラム。
【請求項１２】
医療機器情報が格納されている記憶部にアクセスして、当該医療機器情報を取得して表示する医療機器情報提供システムに、
端末が読み取った２次元コードに紐付けされた医療機器のＩＤを、特定するステップ、
複数の２次元コードを読み取り、一の医療機器のＩＤを特定できなかった場合、当該一の医療機器を特定するための対処方法として、前記２次元コードの読取方向の指示を取得するステップ、
取得した前記対処方法を、表示部に表示するステップ、
一の医療機器のＩＤを特定できた場合、当該特定した医療機器のＩＤに紐付けされた医療機器情報を、前記記憶部から取得するステップ、
前記取得した医療機器情報を、表示部に表示するステップ、
を実行させるためのコンピュータ読み取り可能なプログラム。
【発明の詳細な説明】
【技術分野】
【０００１】
本発明は、医療機器情報が格納されている記憶部にアクセスして、この医療機器情報を取得して表示する医療機器情報提供システム、医療機器情報提供方法及びプログラムに関する。
【背景技術】
【０００２】
従来、医療現場に設置された医療機器において故障や不具合が発生した場合、医療従事者がこの医療機器に貼付されたシールやマニュアル等を閲覧し、記載された保守管理者の電話番号に電話を掛け、必要な対応を依頼する必要があった。【０００３】
また、故障時でないものの、医療機器に関する解説や安全確認情報を、この医療機器に貼付された２次元コードを端末により読み取ることにより、この医療機器に関する解説や安全確認情報を、サーバから取得し、閲覧する構成が開示されている（特許文献１参照）。
【先行技術文献】
【特許文献】
【０００４】
【特許文献１】特開２０１３−２００７５２号公報
【発明の概要】
【発明が解決しようとする課題】
【０００５】
しかしながら、特許文献１の構成では、名称、解説等の医療機器の使用に関する情報を閲覧することは可能であるものの、医療機器の故障時に、必要な処置を医療従事者が知ることはできないため、必要な処置を容易に把握することが困難であった。【０００６】
本発明の目的は、故障時に必要な処置を容易に把握することが可能な医療機器情報提供システム、医療機器情報提供方法及びプログラムを提供することを目的とする。
【課題を解決するための手段】
【０００７】
本発明では、以下のような解決手段を提供する。【０００８】
第１の特徴に係る発明は、医療機器情報が格納されている記憶部にアクセスして、当該医療機器情報を取得して表示する医療機器情報提供システムであって、
端末が撮像した撮像画像に映りこんだ医療機器のＩＤを、画像解析によって特定する医療機器特定手段と、
複数の医療機器が撮像画像内に映り込み、一の医療機器のＩＤを特定できなかった場合、当該一の医療機器を特定するための対処方法として、当該一の医療機器に対する撮像方向の指示を取得する対処方法取得手段と、
取得した前記対処方法を、表示部に表示する対処方法表示手段と、
一の医療機器のＩＤを特定できた場合、当該特定した医療機器のＩＤに紐付けされた医療機器情報を、前記記憶部から取得する医療機器情報取得手段と、
前記取得した医療機器情報を、表示部に表示する医療機器情報表示手段と、
を備えることを特徴とする医療機器情報提供システムを提供する。
【０００９】
第１の特徴に係る発明によれば、医療機器情報が格納されている記憶部にアクセスして、当該医療機器情報を取得して表示する医療機器情報提供システムは、端末が撮像した撮像画像に映りこんだ医療機器のＩＤを、画像解析によって特定し、複数の医療機器が撮像画像内に映り込み、一の医療機器のＩＤを特定できなかった場合、当該一の医療機器を特定するための対処方法として、当該一の医療機器に対する撮像方向の指示を取得し、取得した前記対処方法を、表示部に表示し、一の医療機器のＩＤを特定できた場合、当該特定した医療機器のＩＤに紐付けされた医療機器情報を、前記記憶部から取得し、前記取得した医療機器情報を、表示部に表示する。
【００１０】
ここで、第１の特徴に係る発明は、医療機器情報提供システムのカテゴリであるが、方法又はプログラム等の他のカテゴリにおいても、そのカテゴリに応じた同様の作用・効果を発揮する。【００１１】
第２の特徴に係る発明は、医療機器情報が格納されている記憶部にアクセスして、当該医療機器情報を取得して表示する医療機器情報提供システムであって、
端末が読み取った２次元コードに紐付けされた医療機器のＩＤを、特定する医療機器特定手段と、
複数の２次元コードを読み取り、一の医療機器のＩＤを特定できなかった場合、当該一の医療機器を特定するための対処方法として、前記２次元コードの読取方向の指示を取得する対処方法取得手段と、
取得した前記対処方法を、表示部に表示する対処方法表示手段と、
一の医療機器のＩＤを特定できた場合、当該特定した医療機器のＩＤに紐付けされた医療機器情報を、前記記憶部から取得する医療機器情報取得手段と、
前記取得した医療機器情報を、表示部に表示する医療機器情報表示手段と、
を備えることを特徴とする医療機器情報提供システムを提供する。
【００１２】
第２の特徴に係る発明によれば、医療機器情報が格納されている記憶部にアクセスして、当該医療機器情報を取得して表示する医療機器情報提供システムは、端末が読み取った２次元コードに紐付けされた医療機器のＩＤを、特定し、複数の２次元コードを読み取り、一の医療機器のＩＤを特定できなかった場合、当該一の医療機器を特定するための対処方法として、前記２次元コードの読取方向の指示を取得し、取得した前記対処方法を、表示部に表示し、一の医療機器のＩＤを特定できた場合、当該特定した医療機器のＩＤに紐付けされた医療機器情報を、前記記憶部から取得し、前記取得した医療機器情報を、表示部に表示する。
【００１３】
ここで、第２の特徴に係る発明は、医療機器情報提供システムのカテゴリであるが、方法又はプログラム等の他のカテゴリにおいても、そのカテゴリに応じた同様の作用・効果を発揮する。【００１４】
第３の特徴に係る発明は、前記医療機器情報表示手段が、前記取得した医療機器情報の変化を、グラフ化して表示する、
ことを特徴とする第１又は第２の特徴に係る発明である医療機器情報提供システムを提供する。
【００１５】
第３の特徴に係る発明によれば、第１又は第２の特徴に係る発明である医療機器情報提供システムは、前記取得した医療機器情報の変化を、グラフ化して表示する。【００１６】
第４の特徴に係る発明は、前記医療機器情報表示手段が、前記端末が撮像画像を撮像した場所の位置情報と関連付けて、前記取得した医療機器情報を表示する、
ことを特徴とする第１の特徴に係る発明である医療機器情報提供システムを提供する。
【００１７】
第４の特徴に係る発明によれば、第１の特徴に係る発明である医療機器情報提供システムは、前記端末が撮像画像を撮像した場所の位置情報と関連付けて、前記取得した医療機器情報を表示する。【００１８】
第５の特徴に係る発明は、前記医療機器情報表示手段が、前記端末が２次元コードを読み取った場所の位置情報と関連付けて、前記取得した医療機器情報を表示する、
ことを特徴とする第２の特徴に係る発明である医療機器情報提供システムを提供する。
【００１９】
第５の特徴に係る発明によれば、第２の特徴に係る発明である医療機器情報提供システムは、前記端末が２次元コードを読み取った場所の位置情報と関連付けて、前記取得した医療機器情報を表示する。【００２０】
第６の特徴に係る発明は、前記記憶部にアクセスする時に、前記撮像画像を、特定した医療機器の証拠として利用する証拠利用手段と、
を備えることを特徴とする第１の特徴に係る発明である医療機器情報提供システムを提供する。【００２１】
第６の特徴に係る発明によれば、第１の特徴に係る発明である医療機器情報提供システムは、前記記憶部にアクセスする時に、前記撮像画像を、特定した医療機器の証拠として利用する。【００２２】
第７の特徴に係る発明は、前記記憶部にアクセスする時に、前記２次元コードを、特定した医療機器の証拠として利用する証拠利用手段と、
を備えることを特徴とする第２の特徴に係る発明である医療機器情報提供システムを提供する。【００２３】
第７の特徴に係る発明によれば、第２の特徴に係る発明である医療機器情報提供システムは、前記記憶部にアクセスする時に、前記２次元コードを、特定した医療機器の証拠として利用する。【００２４】
第８の特徴に係る発明は、前記取得した医療機器情報に含まれる電話番号に電話を掛ける電話手段と、
を備えることを特徴とする第１又は第２の特徴に係る発明である医療機器情報提供システムを提供する。【００２５】
第８の特徴に係る発明によれば、第１又は第２の特徴に係る発明である医療機器情報提供システムは、前記取得した医療機器情報に含まれる電話番号に電話を掛ける。【００２６】
第９の特徴に係る発明は、医療機器情報が格納されている記憶部にアクセスして、当該医療機器情報を取得して表示する医療機器情報提供システムが実行する医療機器情報提供方法であって、
端末が撮像した撮像画像に映りこんだ医療機器のＩＤを、画像解析によって特定するステップと、
複数の医療機器が撮像画像内に映り込み、一の医療機器のＩＤを特定できなかった場合、当該一の医療機器を特定するための対処方法として、当該一の医療機器に対する撮像方向の指示を取得するステップと、
取得した前記対処方法を、表示部に表示するステップと、
一の医療機器のＩＤを特定できた場合、当該特定した医療機器のＩＤに紐付けされた医療機器情報を、前記記憶部から取得するステップと、
前記取得した医療機器情報を、表示部に表示するステップと、
を備えることを特徴とする医療機器情報提供方法を提供する。
【００２７】
第１０の特徴に係る発明は、医療機器情報が格納されている記憶部にアクセスして、当該医療機器情報を取得して表示する医療機器情報提供システムが実行する医療機器情報提供方法であって、
端末が読み取った２次元コードに紐付けされた医療機器のＩＤを、特定するステップと、
複数の２次元コードを読み取り、一の医療機器のＩＤを特定できなかった場合、当該一の医療機器を特定するための対処方法として、前記２次元コードの読取方向の指示を取得するステップと、
取得した前記対処方法を、表示部に表示するステップと、
一の医療機器のＩＤを特定できた場合、当該特定した医療機器のＩＤに紐付けされた医療機器情報を、前記記憶部から取得するステップと、
前記取得した医療機器情報を、表示部に表示するステップと、
を備えることを特徴とする医療機器情報提供方法を提供する。
【００２８】
第１１の特徴に係る発明は、医療機器情報が格納されている記憶部にアクセスして、当該医療機器情報を取得して表示する医療機器情報提供システムに、
端末が撮像した撮像画像に映りこんだ医療機器のＩＤを、画像解析によって特定するステップ、
複数の医療機器が撮像画像内に映り込み、一の医療機器のＩＤを特定できなかった場合、当該一の医療機器を特定するための対処方法として、当該一の医療機器に対する撮像方向の指示を取得するステップ、
取得した前記対処方法を、表示部に表示するステップ、
一の医療機器のＩＤを特定できた場合、当該特定した医療機器のＩＤに紐付けされた医療機器情報を、前記記憶部から取得するステップ、
前記取得した医療機器情報を、表示部に表示するステップ、
を実行させるためのコンピュータ読み取り可能なプログラムを提供する。
【００２９】
第１２の特徴に係る発明は、医療機器情報が格納されている記憶部にアクセスして、当該医療機器情報を取得して表示する医療機器情報提供システムに、
端末が読み取った２次元コードに紐付けされた医療機器のＩＤを、特定するステップ、
複数の医療機器が撮像画像内に映り込み、一の医療機器のＩＤを特定できなかった場合、当該一の医療機器を特定するための対処方法として、当該一の医療機器に対する撮像方向の指示を取得するステップ、
取得した前記対処方法を、表示部に表示するステップ、
一の医療機器のＩＤを特定できた場合、当該特定した医療機器のＩＤに紐付けされた医療機器情報を、前記記憶部から取得するステップ、
前記取得した医療機器情報を、表示部に表示するステップ、
を実行させるためのコンピュータ読み取り可能なプログラムを提供する。
【発明の効果】
【００３０】
本発明によれば、故障時に必要な処置を容易に把握することが可能な医療機器情報提供システム、医療機器情報提供方法及びプログラムを提供することが可能となる。
【図面の簡単な説明】
【００３１】
【図１】図１は、医療機器情報提供システム１の概要を示す図である。
【図２】図２は、医療機器情報提供システム１の全体構成図である。
【図３】図３は、サーバ１０、情報端末１００の機能ブロック図である。
【図４】図４は、サーバ１０、情報端末１００が実行する医療機器ＩＤデータベース作成処理を示す図である。
【図５】図５は、サーバ１０、情報端末１００が実行する画像特定処理を示す図である。
【図６】図６は、サーバ１０、情報端末１００が実行する画像特定処理を示す図である。
【図７】図７は、サーバ１０、情報端末１００が実行するコード読取処理を示す図である。
【図８】図８は、サーバ１０、情報端末１００が実行するコード読取処理を示す図である。
【図９】図９は、情報端末１００が表示する医療機器情報の一例を示す図である。
【図１０】図１０は、情報端末１００が表示するエラー通知の一例を示す図である。
【発明を実施するための形態】
【００３２】
以下、本発明を実施するための最良の形態について、図を参照しながら説明する。なお、これはあくまでも一例であって、本発明の技術的範囲はこれに限られるものではない。
【００３３】
［医療機器情報提供システム１の概要］
本発明の好適な実施形態の概要について、図１に基づいて説明する。図１は、本発明の好適な実施形態である医療機器情報提供システム１の概要を説明するための図である。医療機器情報提供システム１は、サーバ１０、情報端末１００から構成される。
【００３４】
サーバ１０は、情報端末１００とデータ通信可能なサーバ装置である。サーバ１０は、医療機器に関する様々な情報である医療機器情報を、自身の記憶部に格納し、この記憶部にアクセスして、医療機器情報を取得し、情報端末１００に表示させる。
【００３５】
情報端末１００は、サーバ１０とデータ通信可能な医療従事者が操作する端末装置である。情報端末１００は、例えば、携帯電話、携帯情報端末、タブレット端末、パーソナルコンピュータに加え、ネットブック端末、スレート端末、電子書籍端末、携帯型音楽プレーヤ等の電化製品や、スマートグラス、ヘッドマウントディスプレイ等のウェアラブル端末や、その他の物品である。以下の説明において、情報端末１００は、ウェアラブル端末であるものとして説明する。
【００３６】
情報端末１００は、対象とする医療機器の撮像画像を撮像する（ステップＳ０１）。また、情報端末１００は、対象とする医療機器が備える２次元コードや１次元コード等の情報コードを読み取る（ステップＳ０２）。ステップＳ０１とステップＳ０２の処理は、いずれか又は双方が実行されればよい。情報端末１００は、自身が有するカメラ等の撮像装置により医療機器の撮像又は情報コードの読み取りを実行する。情報端末１００は、医療機器の一部又は全部を撮像する。情報端末１００は、医療機器に貼付等された情報コードを読み取る。情報端末１００は、医療機器の動画又は静止画等の撮像画像を撮像する。情報端末１００は、例えば、医療機器を動画として撮像し、撮像した動画を、複数の静止画とした撮像画像を得る。ステップＳ０１及びステップＳ０２の処理は、医療従事者の音声やジェスチャー等により入力を受け付け、実行されてもよいし、情報端末１００を装着した医療従事者が、情報端末１００を介して対象とする医療機器や情報コードを視認することにより実行されてもよい。
【００３７】
なお、情報端末１００は、ステップＳ０１又はステップＳ０２の処理の実行時に、自身の位置情報を取得し、自身の記憶部に記憶する構成であってもよい。情報端末１００は、この時に記憶した自身の位置情報を後述の処理において使用する。また、情報端末１００は、撮像装置以外の構成により、医療機器の撮像又は情報コードの読み取りを実行してもよい。
【００３８】
情報端末１００は、撮像画像のデータを示す撮像画像情報又は情報コードのデータを示すコード情報を、サーバ１０に送信する（ステップＳ０３）。
【００３９】
サーバ１０は、撮像画像情報又はコード情報を受信し、受信した撮像画像情報又はコード情報に基づいて、対象とする医療機器のＩＤを特定する（ステップＳ０４）。サーバ１０は、撮像画像情報に基づいて、撮像画像を画像解析することにより、この撮像画像に映りこんだ医療機器の特徴量を抽出する。サーバ１０は、抽出した医療機器の特徴量と、予め医療機器の特徴量とＩＤとを紐付けた医療機器ＩＤデータベースとに基づいて、抽出した医療機器の特徴量に紐付けされたＩＤを特定する。また、サーバ１０は、コード情報に基づいて、この情報コードに格納された情報を読み取り、この格納された情報に紐付けされた医療機器のＩＤを特定する。
【００４０】
なお、コード情報に医療機器のＩＤが格納されている場合、サーバ１０は、このコード情報に格納された医療機器のＩＤを特定する構成であってもよい。
【００４１】
サーバ１０は、特定した医療機器のＩＤに紐付けされた医療機器情報を取得する（ステップＳ０５）。サーバ１０は、特定した医療機器のＩＤと、予め医療機器のＩＤと医療機器情報とを紐付けた医療機器情報データベースとに基づいて、特定した医療機器のＩＤに紐付けされた医療機器情報を抽出し、この医療機器情報を取得する。医療機器情報とは、例えば、使用目的、効能、効果、操作方法、使用方法、使用上の注意、使用開始日時、貯蔵方法、保管方法、保守点検事項、製造販売業者名称、製造販売業者電話番号、担当者電話番号等の様々な医療機器に関する情報である。
【００４２】
なお、サーバ１０は、撮像画像情報やコード情報を、医療機器の特定の証拠として利用する構成であってもよい。サーバ１０は、撮像画像や情報コードが本物である場合、医療機器情報データベースへのアクセスを許可し、本物ではない場合、医療機器情報データベースへのアクセスを拒否する構成としてもよい。
【００４３】
サーバ１０は、取得した医療機器情報を、情報端末１００に送信する（ステップＳ０６）。
【００４４】
情報端末１００は、医療機器情報を受信し、この医療機器情報を、自身の表示部に表示する（ステップＳ０７）。なお、情報端末１００は、医療機器情報の変化を、グラフ化して表示する構成であってもよい。また、情報端末１００は、記憶していた位置情報と関連付けて、医療機器情報を表示する構成であってもよい。また、情報端末１００は、受信した医療機器情報に含まれる電話番号をテキスト認識し、電話を掛ける構成であってもよい。
【００４５】
以上が、医療機器情報提供システム１の概要である。
【００４６】
［医療機器情報提供システム１のシステム構成］
図２に基づいて、本発明の好適な実施形態である医療機器情報提供システム１のシステム構成について説明する。図２は、本発明の好適な実施形態である医療機器情報提供システム１のシステム構成を示す図である。医療機器情報提供システム１は、サーバ１０、情報端末１００、公衆回線網（インターネット網や、第３、第４世代通信網等）５から構成される。なお、情報端末１００は、１つに限らず、複数であってもよい。また、サーバ１０、情報端末１００は、実在する装置に限らず、仮想的な装置であってもよい。また、後述する各処理は、サーバ１０又は情報端末１００のいずれか又は双方により実現されてもよい。
【００４７】
サーバ１０は、後述の機能を備えた上述したサーバ装置である。
【００４８】
情報端末１００は、後述の機能を備えた上述した端末装置である。なお、以下の説明において、情報端末１００は、ウェアラブル端末であるものとして説明する。
【００４９】
［各機能の説明］
図３に基づいて、本発明の好適な実施形態である医療機器情報提供システム１の機能について説明する。図３は、サーバ１０、情報端末１００の機能ブロック図を示す図である。
【００５０】
サーバ１０は、制御部１１として、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備え、通信部１２として、他の機器と通信可能にするためのデバイス、例えば、ＩＥＥＥ８０２．１１に準拠したＷｉＦｉ（Ｗｉｒｅｌｅｓｓ  Ｆｉｄｅｌｉｔｙ）対応デバイスを備える。また、サーバ１０は、記憶部１３として、ハードディスクや半導体メモリ、記録媒体、メモリカード等によるデータのストレージ部を備える。記憶部１３には、後述する各種データベースが格納される。また、サーバ１０は、解析部１５として、撮像画像の画像解析を実行する画像解析デバイスや、情報コードに埋め込まれた各種情報を解析する情報コード解析デバイス等を備える。
【００５１】
サーバ１０において、制御部１１が所定のプログラムを読み込むことにより、通信部１２と協働して、情報取得モジュール２０、情報送信モジュール２１を実現する。また、サーバ１０において、制御部１１が所定のプログラムを読み込むことにより、記憶部１３と協働して、情報記憶モジュール３０、医療機器情報特定モジュール３１を実現する。また、サーバ１０において、制御部１１が所定のプログラムを読み込むことにより、解析部１５と協働して、画像解析モジュール４０、コード解析モジュール４１を実現する。
【００５２】
情報端末１００は、サーバ１０と同様に、制御部１１０として、ＣＰＵ、ＲＡＭ、ＲＯＭ等を備え、通信部１２０として、他の機器と通信可能にするためのＷｉＦｉ対応デバイスや電話番号に発呼する電話デバイス等を備え、記憶部１３０として、データのストレージ部を備える。また、情報端末１００は、入出力部１４０として、制御部１１０で制御したデータや画像を出力表示する表示部や、医療従事者からの入力を受け付けるタッチパネルやキーボード、マウス等や音声認識デバイスやジェスチャー認識デバイス等の入力部や、医療機器の撮像画像を撮像する撮像デバイスや、情報コードを読み取るコード読取デバイスや、自身の位置情報をＧＰＳ等から取得する位置情報取得デバイス等を備える。
【００５３】
情報端末１００において、制御部１１０が所定のプログラムを読み込むことにより、通信部１２０と協働して、情報送受信モジュール１５０、発呼モジュール１５１を実現する。また、情報端末１００において、制御部１１０が所定のプログラムを読み込むことにより、記憶部１３０と協働して、情報記憶モジュール１６０を実現する。また、情報端末１００において、制御部１１０が所定のプログラムを読み込むことにより、入出力部１４０と協働して、撮像モジュール１７０、位置情報取得モジュール１７１、表示モジュール１７２、読取モジュール１７３を実現する。
【００５４】
［医療機器ＩＤデータベース作成処理］
図４に基づいて、医療機器情報提供システム１が実行する医療機器ＩＤデータベース作成処理について説明する。図４は、サーバ１０、情報端末１００が実行する医療機器ＩＤデータベース作成処理のフローチャートを示す図である。上述した各装置のモジュールが実行する処理について、本処理に併せて説明する。
【００５５】
撮像モジュール１７０は、医療機器の撮像画像を撮像する（ステップＳ１０）。ステップＳ１０において、撮像モジュール１７０は、医療機器の一部又は全部等の医療機器を識別することが可能な撮像画像を撮像する。撮像モジュール１７０は、動画として、医療機器を撮像し、撮像した動画を複数の静止画に分割する構成であってもよいし、静止画を撮像する構成であってもよい。ステップＳ１０の処理は、例えば、医療機器が、医療機関に納品されたタイミングやその他のタイミングで実行する。なお、撮像モジュール１７０は、静止画を撮像する場合、複数の角度から医療機器を撮像し、複数の撮像画像を撮像する構成が望ましい。また、撮像モジュール１７０は、動画を撮像する場合、医療機器の周囲３６０度を撮像し、複数の静止画に分割する構成が望ましい。
【００５６】
情報送受信モジュール１５０は、撮像画像のデータである撮像画像情報を、サーバ１０に送信する（ステップＳ１１）。ステップＳ１１において、情報送受信モジュール１５０は、撮像画像情報に、医療機器のＩＤを付与し、サーバ１０に送信する。医療機器のＩＤは、例えば、商品名、製造番号等の製品情報であってもよいし、医療従事者や保守管理者が入力した文字列等の識別子であってもよいし、製品情報と識別子とを組み合わせたものであってもよいし、それ以外の構成であってもよい。
【００５７】
情報取得モジュール２０は、撮像画像情報及びＩＤを取得する。情報記憶モジュール３０は、撮像画像情報とＩＤとを紐付けた医療機器ＩＤデータベースを作成し、記憶する（ステップＳ１２）。
【００５８】
以上が、医療機器ＩＤデータベース作成処理である。
【００５９】
なお、上述した医療機器ＩＤデータベース作成処理は、医療従事者により作成する構成ではなく、サーバ１０が、外部サーバ等から上述した医療機器ＩＤデータベースを取得し、記憶する構成であってもよい。この場合、本処理を省略し、後述する処理を実行する構成であればよい。
【００６０】
［画像特定処理］
図５及び図６に基づいて、医療機器情報提供システム１が実行する画像特定処理について説明する。図５及び図６は、サーバ１０、情報端末１００が実行する画像特定処理のフローチャートを示す図である。上述した各装置のモジュールが実行する処理について、本処理に併せて説明する。
【００６１】
撮像モジュール１７０は、医療機器の撮像画像を撮像する（ステップＳ２０）。ステップＳ２０の処理は、上述したステップＳ１０の処理と同様である。
【００６２】
位置情報取得モジュール１７１は、撮像場所の位置情報を取得する（ステップＳ２１）。ステップＳ２１において、位置情報取得モジュール１７１は、ＧＰＳ等から自身の位置情報を取得することにより、撮像場所の位置情報を取得する。なお、位置情報取得モジュール１７１は、センサ等により自身の位置情報を取得する構成であってもよいし、ＧＰＳ以外の構成により、自身の位置情報を取得する構成であってもよい。
【００６３】
情報記憶モジュール１６０は、取得した位置情報を、記憶する（ステップＳ２２）。情報記憶モジュール１６０は、位置情報に現在日時や撮像者の情報やその他の情報をさらに紐付けて記憶する構成であってもよいし、位置情報のみを記憶する構成であってもよい。
【００６４】
なお、情報端末１００は、ステップＳ２１及びステップＳ２２の処理を、ステップＳ２０の処理と同時に実行する構成であってもよい。すなわち、撮像モジュール１７０が、医療機器を撮像した時に、位置情報取得モジュール１７１が位置情報を取得し、情報記憶モジュール１６０がこの位置情報を記憶する構成であってもよい。
【００６５】
情報送受信モジュール１５０は、撮像画像のデータである撮像画像情報を、サーバ１０に送信する（ステップＳ２３）。なお、情報送受信モジュール１５０は、ステップＳ２３の処理を、上述したステップＳ２２の処理よりも前に実行する構成であってもよい。
【００６６】
情報取得モジュール２０は、撮像画像情報を取得する。画像解析モジュール４０は、撮像画像情報に基づいた撮像画像を画像解析することにより、この撮像画像に映りこんだ医療機器のＩＤを特定する（ステップＳ２４）。ステップＳ２４において、画像解析モジュール４０は、画像解析により、医療機器の特徴量を抽出する。画像解析モジュール４０は、医療機器ＩＤデータベースに記憶された撮像画像情報に基づいた撮像画像を画像解析し、特徴量を抽出する。画像解析モジュール４０は、取得した撮像画像から抽出した医療機器の特徴量と、記憶した撮像画像から抽出した特徴量とを比較し、一致する撮像画像情報に紐付けされたＩＤを特定する。
【００６７】
画像解析モジュール４０は、一のＩＤの特定が実行できたか否かを判断する（ステップＳ２５）。ステップＳ２５において、画像解析モジュール４０は、例えば、複数の医療機器が撮像画像内に映りこんでいるか否か、一致する特徴量に紐付けされたＩＤが複数存在するか否か、一致する特徴量に紐付けされたＩＤが存在していないか否か等に基づいて、一のＩＤの特定が実行できたか否かを判断する。
【００６８】
ステップＳ２５において、画像解析モジュール４０は、一のＩＤの特定が実行できたと判断した場合（ステップＳ２５  ＹＥＳ）、医療機器情報特定モジュール３１は、特定した医療機器のＩＤに紐付けされた医療機器情報を、情報記憶モジュール３０が記憶する医療機器情報データベースにアクセスし、取得する（ステップＳ２６）。ステップＳ２６において、医療機器情報データベースとは、医療機器の様々な情報と医療機器のＩＤとを紐付けたデータベースである。この医療機器情報データベースは、例えば、医療従事者が情報端末１００から入力した医療機器情報及びＩＤに基づいた構成であってもよいし、別の端末装置等から入力した医療機器情報及びＩＤに基づく構成であってもよいし、医療機器の販売会社や保守管理者等が保有するデータベースやサーバ等から取得する構成であってもよい。医療機器情報は、上述した構成と同様である。
【００６９】
なお、ステップＳ２６において、医療機器情報特定モジュール３１は、医療機器情報データベースにアクセスする時、撮像画像情報を、特定の証拠として利用する構成であってもよい。この場合、医療機器情報特定モジュール３１は、撮像画像に医療機器が映っている時、上述した各種データベースへのアクセスを許可し、医療機器情報の特定を実行する。医療機器情報特定モジュール３１は、撮像画像に医療機器が映っていない場合、上述した各種データベースへのアクセスを拒否し、医療機器情報の特定を実行しない。
【００７０】
情報送信モジュール２１は、取得した医療機器情報を、情報端末１００に送信する（ステップＳ２７）。
【００７１】
情報送受信モジュール１５０は、医療機器情報を受信する。表示モジュール１７２は、受信した医療機器情報を表示する（ステップＳ２８）。表示モジュール１７２は、医療機器情報の一部又は全部を表示する構成であってもよいし、医療機器情報の変化をグラフとして表示する構成であってもよいし、情報記憶モジュール１６０が記憶した撮像場所の位置情報と医療機器情報を関連付けて表示する構成であってもよい。また、表示モジュール１７２は、上述した構成を組み合わせて表示してもよいし、その他の表示態様であってもよい。医療機器情報の一部とは、例えば、医療機器の名称、前回メンテナンス日時、販売会社電話番号や保守管理者電話番号等の医療機器の修理に必要な情報やその他の情報である。また、医療機器情報の変化とは、例えば、一日の使用回数、異常検知回数等である。なお、表示モジュール１７２が表示する医療機器情報は、適宜変更可能である。
【００７２】
図９に基づいて、表示モジュール１７２が表示する医療機器情報について説明する。図９は、表示モジュール１７２が表示する医療機器情報の一例を示す図である。図９において、表示モジュール１７２は、自身の表示部に、医療機器情報表示領域３００、グラフ表示領域３１０、位置情報表示領域３２０を表示する。医療機器情報表示領域３００は、医療機器情報を表示する領域である。医療機器情報表示領域３００に表示する医療機器情報としては、例えば、医療機器の名称、販売会社名、保守管理者電話番号、担当者連絡先等である。この医療機器情報表示領域３００に表示する医療機器情報は、受信した医療機器情報の一部又は全部である。一部のみを表示する場合、例えば、医療従事者が予め指定した医療機器情報のみを表示する構成や、現在日時や現在地等に基づいて、必要な医療機器情報を情報端末１００が判断し、表示する構成や、音声入力やジェスチャー入力等の入力操作に基づいて、表示する医療機器情報を指定し、指定した医療機器情報を表示する構成であればよい。グラフ表示領域３１０は、医療機器情報の変化をグラフとして表示する領域である。グラフ表示領域３１０に表示する医療機器情報の変化としては、例えば、日々の使用回数の変化や日々の異常検知回数の変化を、棒グラフとして表示する構成や、保守点検を行った期間の変化等を、円グラフとして表示する構成や、異常検知の頻度を折れ線グラフとして表示する構成である。グラフ表示領域３１０に表示する医療機器情報の変化は、医療従事者が予め指定した医療機器情報の変化を表示する構成や、音声入力やジェスチャー入力等の入力操作に基づいて、グラフ表示する医療機器情報を指定し、指定した医療機器情報の変化を表示する構成であればよい。また、位置情報表示領域３２０は、撮像場所の位置情報を表示する領域である。位置情報表示領域３２０に表示する位置情報としては、例えば、位置情報に基づいた場所の名称、住所、座標、識別子等である。この位置情報表示領域３２０は、後述するコード読取処理において、情報コードを読み取った場所の位置情報を表示する領域となる。
【００７３】
なお、表示モジュール１７２が表示する医療機器情報表示領域３００、グラフ表示領域３１０及び位置情報表示領域３２０は、全てを常に表示する必要はなく、いずれか又は複数の組合せを表示する構成であってもよい。また、医療機器情報表示領域３００に表示する医療機器情報は、適宜変更可能である。また、グラフ表示領域３１０に表示するグラフの種類や内容等は適宜変更可能である。また、位置情報表示領域３２０に表示する位置情報の内容等は、適宜変更可能である。また、表示モジュール１７２は、これら以外の情報を表示する構成であってもよい。例えば、表示モジュール１７２は、医療機器情報に加え、撮像画像を表示する構成であってもよいし、後述する情報コードを表示する構成であってもよい。
【００７４】
また、表示モジュール１７２は、医療機器情報表示領域３００を最初に表示し、次に、医療従事者からの音声入力やジェスチャー入力等の入力操作を受け付け、グラフ表示領域３１０や位置情報表示領域３２０を表示する構成であってもよい。すなわち、表示モジュール１７２は、上述した各領域を、自由に選択して表示することが可能であるとともに、所望するタイミングで所望の領域を表示することが可能である。
【００７５】
発呼モジュール５１は、医療機器情報に含まれる電話番号に発呼する（ステップＳ２９）。ステップＳ２９において、発呼モジュール５１は、受信した医療機器情報に含まれる販売元電話番号又は保守管理者電話番号等の故障時における処置に関連する電話番号をテキスト認識し、アプリケーションや電話に必要なデバイスを起動し、この電話番号に発呼する。このようにすることにより、情報端末１００を装着する医療従事者は、故障時の修理の依頼や必要な対応等のサポートを受けることが容易となる。
【００７６】
一方、ステップＳ２５において、画像解析モジュール４０は、一のＩＤの特定が実行できなかったと判断した場合（ステップＳ２５  ＮＯ）、その旨を示すエラー通知を作成する（ステップＳ３０）。ステップＳ３０において、画像解析モジュール４０が作成するエラー通知は、例えば、複数の医療機器が撮像画像に映っていることを示す情報、複数の医療機器のＩＤを特定したことを示す情報、一のＩＤの特定を実行するための対処方法を示す情報、撮像画像情報、撮像画像に重畳させる対処方法に関する簡易的なイラストを示す情報等を作成する。なお、画像解析モジュール４０が作成するエラー通知の内容は、適宜変更可能である。
【００７７】
情報送信モジュール２１は、作成したエラー通知を、情報端末１００に送信する（ステップＳ３１）。
【００７８】
情報送受信モジュール１５０は、通知を受信する。表示モジュール１７２は、エラー通知を自身の表示部に表示する（ステップＳ３２）。
【００７９】
図１０に基づいて、表示モジュール１７２が表示するエラー通知について説明する。図１０は、表示モジュール１７２が表示するエラー通知の一例を示す図である。図１０において、表示モジュール１７２は、通知内容表示領域４００、撮像画像表示領域４１０を表示する。通知内容表示領域４００は、上述した画像解析モジュール４０が作成したエラー通知の各情報をテキストとして表示する。具体的には、図１０において、表示モジュール１７２は、複数の医療機器が撮像画像に映っていることを示すテキスト、画像解析によって複数の医療機器のＩＤを特定したことを示すテキスト、一の医療機器を特定するために必要な操作方法を指示するテキストを通知内容表示領域４００に表示する。また、表示モジュール１７２は、医療機器５００，５１０が映りこんでいる撮像画像と、特定した医療機器を示す枠線４２０，４３０と、対処方法を簡易的に示す対処方法アイコン４４０，４５０を、撮像画像表示領域４１０に表示する。表示モジュール１７２は、各枠線４２０，４３０内に、医療機器の識別子を表示する。図１０において、表示モジュール１７２は、識別子として、「Ａ」、「Ｂ」を表示している。図１０において、対処方法アイコン４４０，４５０は、医療機器５００，５１０の撮像方向を指示する状態であることを示す。
【００８０】
なお、表示モジュール１７２が表示する通知内容表示領域４００、撮像画像表示領域４１０は、全てを常に表示する必要はなく、いずれか又は双方を表示する構成であってもよい。また、表示モジュール１７２が通知内容表示領域４００に表示する内容は、テキストに限らず、アイコンやイラスト等であってもよい。また、表示モジュール１７２が表示するエラー通知の表示態様は、適宜変更可能である。また、表示モジュール１７２が表示する通知内容表示領域４００、撮像画像表示領域４１０の位置及びそのサイズは、適宜変更可能である。また、表示モジュール１７２は、エラー通知の情報に基づいて、この情報を音声により出力する構成であってもよい。また、表示モジュール１７２は、テキストや音声以外の表示態様によりエラー通知を表示する構成であってもよい。また、表示モジュール１７２は、上述した構成以外のエラーに関する情報を表示する構成であってもよい。
【００８１】
情報端末１００を装着した医療従事者は、エラー通知の内容に基づいて、再度、医療機器の撮像画像を撮像する。すなわち、情報端末１００は、再度上述したステップＳ２０の処理を実行する。
【００８２】
以上が、画像特定処理である。
【００８３】
なお、上述した画像特定処理において、サーバ１０又は情報端末１００が実行する処理は、サーバ１０と情報端末１００とが協働して実行する構成であってもよいし、サーバ１０が実行する処理の一部又は全部を情報端末１００が実行する構成であってもよいし、情報端末１００が実行する処理の一部又は全部をサーバ１０が実行する構成であってもよい。
【００８４】
［コード読取処理］
図７及び図８に基づいて、医療機器情報提供システム１が実行するコード読取処理について説明する。図７及び図８は、サーバ１０、情報端末１００が実行するコード読取処理のフローチャートを示す図である。上述した各装置のモジュールが実行する処理について、本処理に併せて説明する。なお、上述した画像特定処理と同様の処理については、その詳細な説明は省略する。
【００８５】
読取モジュール１７３は、医療機器が有する２次元コードや１次元コード等の情報コードを読み取る（ステップＳ４０）。ステップＳ４０において、読取モジュール１７３は、医療機器の一部に貼付された情報コードや、医療機器を載置する載置台等に貼付された情報コードを、専用アプリケーションや撮像装置等により読み取る。なお、ステップＳ４０において、読取モジュール１７３が読み取る情報コードは、上述した構成に限らず、適宜変更可能である。また、情報コードは、医療機器自身や載置台等に貼付されている必要はなく、適宜変更可能である。
【００８６】
位置情報取得モジュール１７１は、読取場所の位置情報を取得する（ステップＳ４１）。ステップＳ４１の処理は、上述したステップＳ２１の処理と同様である。
【００８７】
情報記憶モジュール１６０は、ステップＳ４１において位置情報取得モジュール１７１が取得した位置情報を、記憶する（ステップＳ４２）。ステップＳ４２の処理は、上述したステップＳ２２の処理と同様である。
【００８８】
なお、情報端末１００は、ステップＳ４１の処理及びステップＳ４２の処理を、ステップＳ４０の処理と同時に実行する構成であってもよい。すなわち、読取モジュール１７３が、情報コードを読み取った時に、位置情報取得モジュール１７１が位置情報を取得し、情報記憶モジュール１６０がこの位置情報を記憶する構成であってもよい。
【００８９】
情報送受信モジュール１５０は、情報コードのデータであるコード情報を、サーバ１０に送信する（ステップＳ４３）。なお、情報送受信モジュール１５０は、ステップＳ４３の処理を、上述したステップＳ４２の処理よりも前に実行する構成であってもよい。
【００９０】
情報取得モジュール２０は、コード情報を取得する。コード解析モジュール４１は、コード情報に基づいて、このコード情報に紐付けされた医療機器のＩＤを特定する（ステップＳ４４）。コード解析モジュール４１は、コード情報に基づいて、このコード情報に格納されたＩＤを抽出することにより、医療機器のＩＤを特定する。
【００９１】
画像解析モジュール４０は、一のＩＤの特定が実行できたか否かを判断する（ステップＳ４５）。ステップＳ４５において、画像解析モジュール４０は、例えば、複数の情報コードを読み取ったか否か、抽出したＩＤに紐付けされたＩＤが存在していないか否か等に基づいて、一のＩＤの特定が実行できたか否かを判断する。
【００９２】
ステップＳ４５において、画像解析モジュール４０は、一のＩＤの特定が実行できたと判断した場合（ステップＳ４５  ＹＥＳ）、医療機器情報特定モジュール３１は、特定した医療機器のＩＤに紐付けされた医療機器情報を、情報記憶モジュール３０が記憶する医療機器情報データベースにアクセスし、取得する（ステップＳ４６）。ステップＳ４６の処理は、上述したステップＳ２６の処理と同様である。
【００９３】
なお、ステップＳ４６において、医療機器情報特定モジュール３１は、医療機器情報データベースにアクセスする時、コード情報を、特定の証拠として利用する構成であってもよい。この場合、医療機器情報特定モジュール３１は、読み取った情報コードにＩＤが格納されている場合に、上述した各種データベースへのアクセスを許可し、医療機器情報を特定する。医療機器情報特定モジュール３１は、読み取った情報コードにＩＤが格納されていない場合、各種データベースへのアクセスを拒否し、医療機器情報の特定を実行しない。
【００９４】
情報送信モジュール２１は、取得した医療機器情報を、情報端末１００に送信する（ステップＳ４７）。
【００９５】
情報送受信モジュール１５０は、医療機器情報を受信する。表示モジュール１７２は、受信した医療機器情報を表示する（ステップＳ４８）。ステップＳ４８の処理は、上述したステップＳ２８の処理と同様である。ただし、ステップＳ４８において、表示モジュール１７２は、撮像場所の位置情報を表示するのではなく、情報コードを読み取った場所の位置情報を表示する。
【００９６】
発呼モジュール５１は、医療機器情報に含まれる電話番号に発呼する（ステップＳ４９）。ステップＳ４９の処理は、上述したステップＳ２９の処理と同様である。
【００９７】
一方、ステップＳ４５において、画像解析モジュール４０は、一のＩＤの特定が実行できなかったと判断した場合（ステップＳ４５  ＮＯ）、その旨を示すエラー通知を作成する（ステップＳ５０）。ステップＳ５０において、画像解析モジュール４０が作成するエラー通知は、例えば、複数の情報コードを読み取ったことを示す情報、複数の医療機器のＩＤを特定したことを示す情報、対処方法を示す情報、情報コード、情報コードに重畳させる対処方法に関する簡易的なイラストを示す情報等を作成する。なお、画像解析モジュール４０が作成するエラー通知の内容は、適宜変更可能である。ステップＳ５０の処理は、上述したステップＳ３０の処理において、撮像画像が情報コードに変更されている点を除けば略同様である。
【００９８】
情報送信モジュール２１は、作成したエラー通知を、情報端末１００に送信する（ステップＳ５１）。
【００９９】
情報送受信モジュール１５０は、通知を受信する。表示モジュール１７２は、エラー通知を自身の表示部に表示する（ステップＳ５２）。ステップＳ５２の処理は、上述したステップＳ３２の処理と同様である。ただし、ステップＳ５２において、表示モジュール１７２は、撮像画像に関する内容を、情報コードに関する内容に変更したエラー通知を表示する。
【０１００】
情報端末１００を装着した医療従事者は、エラー通知の内容に基づいて、再度、医療機器の撮像画像を撮像する。すなわち、情報端末１００は、再度上述したステップＳ４０の処理を実行する。
【０１０１】
以上が、コード読取処理である。
【０１０２】
なお、上述したコード読取処理において、サーバ１０又は情報端末１００が実行する処理は、サーバ１０と情報端末１００とが協働して実行する構成であってもよいし、サーバ１０が実行する処理の一部又は全部を情報端末１００が実行する構成であってもよいし、情報端末１００が実行する処理の一部又は全部をサーバ１０が実行する構成であってもよい。
【０１０３】
また、上述した実施形態において、画像特定処理と、コード読取処理とは、独立して行われているが、双方を組み合わせて実行する構成であってもよい。例えば、医療機器の撮像画像を撮像するとともに、情報コードを読み取る構成であってもよい。このようにすることにより、医療機器の特定を、撮像画像と情報コードとにより実行することになるため、医療機器の特定をより確実に実行することも可能となる。
【０１０４】
上述した手段、機能は、コンピュータ（ＣＰＵ、情報処理装置、各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置又は外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【０１０５】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【０１０６】
１  医療機器情報提供システム、１０  サーバ、１００  情報端末
【図１】
0006718964.tif 000002
【図２】
0006718964.tif 000003
【図３】
0006718964.tif 000004
【図４】
0006718964.tif 000005
【図５】
0006718964.tif 000006
【図６】
0006718964.tif 000007
【図７】
0006718964.tif 000008
【図８】
0006718964.tif 000009
【図９】
0006718964.tif 000010
【図１０】
0006718964.tif 000011